(57)【要約】  一実施形態では、ＲＦスペクトルのいくつかの帯域を変換し、チャネル配置を１つまたは複数のより低い中間周波数帯の（アナログ）スペクトルに変換するおよび／または並べ替えることにより番組を同時に記録するより効率的な方法が提供される。記録装置はアナログＲＦスペクトルを記録し、アナログＲＦスペクトルは記録装置からの再生に利用可能である。再生されたＲＦスペクトラムに含まれる番組はチューナおよび／または復調器により選択的に抽出され、その後視聴され、聴かれ、または配布される。あるいはＲＦ信号は記録装置へ供給され、変換無しに記録または保管される。次に記録装置は、表示および／または配布のためにチューナおよび／または復調器に対しＲＦ信号を再生する。【特許請求の範囲】
【請求項１】
１つまたは複数の番組を含む１つまたは複数のＲＦ信号を記録しその後再生する方法において、
前記１つまたは複数のＲＦ信号を記録するステップと、
前記記録された１つまたは複数の複数ＲＦ信号を再生するステップと、
前記１つまたは複数のＲＦ信号に含まれる前記１つまたは複数の番組を視聴または配布するために１つまたは複数のチューナ／復調器を介し前記１つまたは複数の複数ＲＦ信号に選択的に同調し、それを復調するステップと、を含むことを特徴とする方法。
【請求項２】
請求項１に記載の方法において、
記録前に、前記１つまたは複数のＲＦ信号をより低い周波数スペクトルへ下方変換するステップと、
再生の際、選択的に同調し復調する前に、前記より低い周波数スペクトルを１つまたは複数の複数ＲＦ信号に上方変換するステップと、をさらに含むことを特徴とする方法。
【請求項３】
請求項１に記載の方法において、
前記ＲＦ信号は、記述的映像サービス（ＤＶＳ：ｄｅｓｃｒｉｐｔｉｖｅ  ｖｉｄｅｏ  ｓｅｒｖｉｃｅｓ）、第２の音声番組（ＳＡＰ）副チャネル、天候または交通副チャネル、補助的音声／映像副チャネルを含む１つまたは複数の映像および／または音声チャネルを含む、あるいはメタデータまたは番組案内副チャネルにアクセスする、ことを特徴とする方法。
【請求項４】
請求項１に記載の方法において、コピー防止またはコンテンツ制御信号を１つまたは複数の復調されたＲＦ信号に適用するステップをさらに含むことを特徴とする方法。
【請求項５】
請求項１に記載の方法において、１つまたは複数のＲＦ信号を同時に記録するステップを含むことを特徴とする方法。
【請求項６】
１つまたは複数の番組を含む１つまたは複数のＲＦ信号を記録しその後再生する装置において、
前記１つまたは複数のＲＦ信号を記録する記録装置であって、前記記録された１つまたは複数のＲＦ信号を再生できるようにされる、記録装置と、
前記１つまたは複数のＲＦ信号に含まれる前記１つまたは複数の番組を視聴または配布するために前記１つまたは複数のＲＦ信号を選択的に復元するチューナ／復調器と、を含むことを特徴とする記録装置。
【請求項７】
請求項６に記載の装置において、
前記１つまたは複数のＲＦ信号をより低い（中間）周波数スペクトルへ変換する下方向変換器（ｄｏｗｎ−ｔｒａｎｓｌａｔｏｒ）と、
前記周波数変換されたスペクトルを供給する増幅器／フィルタであって、前記記録装置は前記より低い周波数に変換されたスペクトルを記録する、増幅器／フィルタと、
前記ＲＦ信号に選択的に同調し、それを復調する前に、前記より低い周波数スペクトルを１つまたは複数のＲＦ信号に再変換する上方向変換器（ｕｐ−ｔｒａｎｓｌａｔｏｒ）と、をさらに含むことを特徴とする装置。
【請求項８】
請求項６に記載の装置において、
記録前に前記１つまたは複数のＲＦ信号をデジタル化するアナログ／デジタル変換器と、
前記記録された信号を，再生の際にアナログ（ＲＦ）フォーマットに変換するデジタル／アナログ変換と、をさらに含むことを特徴とする装置。
【請求項９】
請求項６に記載の装置において、前記ＲＦ信号は、記述的映像サービス（ＤＶＳ）の副チャネル、第２の音声番組（ＳＡＰ）、補助的音声／映像、天候または交通副チャネルを含む映像および／または音声チャネルを含む、および／またはメタデータまたは番組案内情報にアクセスすることを特徴とする装置。
【請求項１０】
請求項６に記載の装置において、前記記録装置は前記１つまたは複数のＲＦ信号の周波数スペクトルを同時に記録する、ことを特徴とする装置。
【請求項１１】
複数の番組を含むＲＦ信号を記録しその後再生するシステムにおいて、
複数の番組のＲＦ信号を同時に記録し、前記記録されたＲＦ信号を再生する記録装置と、
１つまたは複数のチャネルおよび／または前記複数の番組の１つまたは複数の副チャネルを抽出するために、前記再生されたＲＦ周波数スペクトルに同調し、それを復調するチューナおよび復調器と、を含むことを特徴とするシステム。
【請求項１２】
請求項１１に記載のシステムにおいて、前記ＲＦ信号を記録することは記録前に前記ＲＦ信号を周波数変換するあるいはメモリシステム内に格納するための回路を含むことを特徴とするシステム。
【請求項１３】
請求項１２に記載のシステムにおいて、前記周波数変換のための回路はアナログ／デジタル変換器においてサブナイキストサンプリングすることにより提供されることを特徴とするシステム。
【請求項１４】
請求項１２に記載のシステムにおいて、前記周波数変換のための回路はミキサまたは乗算器および局部発振器により提供されることを特徴とするシステム。
【請求項１５】
請求項１１に記載のシステムにおいて、前記再生された記録されたＲＦ周波数スペクトルの周波数変換をさらに含むことを特徴とするシステム。
【請求項１６】
請求項１１に記載のシステムにおいて、前記ＲＦ信号はＷｉＦｉ、ＷｉＭａｘ、ＩＰＴＶ、ＡＴＳＣ、有線、ケーブルおよび／または衛星を介し供給されることを特徴とするシステム。
【請求項１７】
請求項１１に記載のシステムにおいて、前記複数の番組はＳＤＴＶおよび／またはＨＤＴＶの番組を含むことを特徴とするシステム。
【請求項１８】
請求項１１に記載のシステムにおいて、前記複数の番組は音声番組を含むことを特徴とするシステム。
【請求項１９】
請求項１１に記載のシステムにおいて、前記チューナと復調器は１つまたは複数のチューナおよび／または復調器を含むことを特徴とするシステム。
【請求項２０】
請求項１９に記載のシステムにおいて、前記１つまたは複数のチューナおよび／または復調器は映像、音声、データおよび／またはメタデータ信号を同時に供給することを特徴とするシステム。
【発明の詳細な説明】
【技術分野】
【０００１】
関連出願の相互参照
本出願は２００９年１０月７日出願の米国仮特許出願第６１／２４９，３９４号明細書からの優先権を主張し、参照によりその全体を本明細書に援用する。
【背景技術】
【０００２】
本発明は映像記録装置またはパーソナル映像記録装置（ＰＶＲ：ｐｅｒｓｏｎａｌ  ｖｉｄｅｏ  ｒｅｃｏｒｄｅｒ）に関し、さらにより具体的にはＲＦスペクトル帯域の広帯域記録および再生に関する。
【０００３】
以前の映像記録装置ではチューナ／復調器が映像番組を記録する必要がある。それゆえ複数の映像番組を記録するためには複数のチューナがＲＦ信号に接続される。各チューナは特定の周波数またはチャネルに設定される。次に各チャネルの復調を含む各チューナの出力は記録する記録装置に接続され、その後再生される。
【０００４】
高品位テレビシステム委員会（ＡＴＳＣ：Ａｄｖａｎｃｅｄ  Ｔｅｌｅｖｉｓｉｏｎ  Ｓｙｓｔｅｍ  Ｃｏｍｍｉｔｔｅｅ）フォーマットでは、１つのチャネルは最大４から１５の副チャネルを含んでもよく、１つのＡＴＳＣチャネルに含まれる副チャネルの復調のため最大４〜１５個のチューナを必要とする。したがって例えばデジタルテレビ（ＤＴＶ）ストリームから映像および／または音声情報をより効率的に記録する必要がある。
【発明の概要】
【０００５】
したがって本発明は複数の映像番組を記録および再生する際の多数のチューナおよび復調器の必要性を回避する様々な実施形態を提供する。
【０００６】
この目的を達成するために、一実施形態はテレビ信号の広帯域スペクトルを記憶装置に記録する。再生の際、記憶装置は、（任意の副チャネルを含む）チャネルのいずれかの信号が同調、復調、および視聴または配布されるように、「遅延された」放送ＲＦ信号として働く。
【０００７】
例えば１ＭＨｚ〜１９ＭＨｚのテレビ放送信号の広帯域スペクトルが、３つの６ＭＨｚ帯域デジタルテレビ（ＤＴＶ）チャネル（ＡＴＳＣ、ＳＤＴＶ、およびＨＤＴＶチャネル）を表してもよい。圧縮比に依存するが、最大３または４個のＳＤＴＶ（副デジタルテレビ：ｓｕｂ  ｄｉｇｉｔａｌ  ｔｅｌｅｖｉｓｉｏｎ）チャネルが６ＭＨｚチャネル空間内に収まる。したがって３つのＨＤＴＶ（高品位テレビ）チャネルが同時に記録されてもよい。あるいはその代りに最大１２個のＳＤＴＶ副チャネル、あるいはＨＤＴＶとＳＤＴＶチャネルまたは副チャネルのある組み合わせが、１ＭＨｚ〜１９ＭＨｚの信号を記録することを介し同時に記録されてもよい。最も単純な形式では、単一の６ＭＨｚＲＦチャネルは、複数のＳＤＴＶチャネルまたは副チャネル、あるいはＳＤＴＶチャネルとＨＤＴＶチャネルのある組み合わせを抽出するために、記憶装置からチューナへの再生を可能にするように記憶装置に記録される。チャネルまたは副チャネルは１つまたは複数の音声および／または映像チャネルを含んでもよいことに留意されたい。
【０００８】
別の実施形態は広帯域テレビ信号を受信し、複数のチャネルを周波数範囲内に混合または変換する。この信号は次にアナログ信号からデジタルまたは離散信号に変換され格納される。記憶装置は記録命令により制御され、アナログＲＦ広帯域信号のデジタル表現を再生する。デジタル／アナログ変換器は記憶装置の出力をアナログＲＦ信号に変換する。次にアナログＲＦ信号は、記録されたＲＦ信号内に存在する１つまたは複数の番組を視聴または配布するために１つまたは複数のチューナに接続されることができる。
【０００９】
一実施形態は、複数のチューナが一度に２つ以上の映像番組を記録するのに使用される例えば参照のため本明細書に援用する米国特許第７，４５４，１２０号明細書（‘１２０特許）に開示された方法の代替または改良型の音声および／または映像番組の記録方法を提供する。例えば音声および／または映像番組を（例えばパーソナル映像記録装置またはＰＶＲを介し）記録する改良型方法は、一度に１つまたは複数の番組を記録するために１つまたは複数のチューナ／復調器を含むが、広帯域高周波数信号を記録する能力も有する。この改良型方法は、復調された特定の映像番組を再生することおよび／または高周波領域から映像番組を（例えばチューナを介し）再生することを可能にする。
【００１０】
別の実施形態はまた、‘１２０特許のＰＶＲシステムにおいて開示された特徴を含み、加えて、コピー防止（例えば、負方向パルス、正方向パルスおよび／またはＴＶフィールドのオーバースキャン領域内の位相変調信号）またはデジタル権利管理（ＤＲＭ：ｄｉｇｉｔａｌ  ｒｉｇｈｔｓ  ｍａｎａｇｅｍｅｎｔ）を提供する処理を含む。例えば複数のチューナを含むＰＶＲシステムは、いくつかの迂回装置に対する抵抗力を与えるコンテンツ制御信号を含んでもよい。
【００１１】
低コスト高速アナログ／デジタル変換器（ＡＤＣ）と低コストメモリ装置における大きな進歩により、別の実施形態は、ＲＦ領域信号をデジタル化することにより広帯域または１つまたは複数のＴＶチャネルまたはラジオチャネルを記録する。デジタル化前に、通常はＶＨＦまたはＵＨＦスペクトル内に存在する１つまたは複数のＲＦチャネルのためにある形式の周波数変換を行う。上記周波数変換は、より効率的なアナログ／デジタル変換とデジタル記録のために、これらのチャネルをより低い周波数スペクトルへマッピングする。用語「変換」は周波数スペクトルを上方または下方の周波数に移動するための周波数領域における操作を指すことを理解すべきである。
【００１２】
あるいは、アナログ／デジタル変換器（ＡＤＣ）はサンプリング周波数クロックを利用するので、サンプリング周波数クロックは、アナログ入力信号をデジタル化し、アナログ入力信号の１つまたは複数の変換されたスペクトラムを提供する方法として利用されてもよい。信号をサブナイキストサンプリングすることで、周波数変換された入力のスペクトルをアナログ／デジタル変換器に供給する。例えばアナログ／デジタル変換器の（等価）サンプリング周波数が入力（ＲＦ）信号の帯域または最高周波数の２倍未満である場合、周波数変換は例えばエイリアス信号の形式でアナログ／デジタル変換器により提供される。したがって別の実施形態では、高周波信号（例えば、ＡＴＳＣまたはＨＤＴＶ  ＲＦ信号）は、アナログ／デジタル変換器の入力の前の変換要素またはモジュールの有無にかかわらず、アナログ／デジタル変換器に接続されてもよい。
【００１３】
別の実施形態では、１つまたは複数のＡＴＳＣチャネルおよび／またはラジオチャネルがより低い周波数スペクトルに変換される。アナログ／デジタル変換器（ＡＤＣ）はより低い周波数アナログ信号ＲＦをデジタル信号に変換し、その後格納される。ＡＤＣのデジタル化後、符号化または圧縮技術および／または変換が記憶空間上で保存のために施されてもよいということに留意されたい。記憶装置からの再生（復号化または圧縮解除（ｄｅｃｏｍｐｒｅｓｓｉｏｎ）方式または変換を含んでもよい）の際、デジタル／アナログ変換器がＲＦ信号を再生する。このときチューナは記録されたＡＴＳＣチャネルから複数の番組信号を供給するために利用される。
【００１４】
さらに別の実施形態では、ＲＦ信号はＲＦ信号を格納または記録するために記録装置に供給される。次に記録装置は、その後の表示および／または信号配布のために、チューナおよび／または復調器に対してＲＦ信号の記録を再生する。したがって変換機能または回路、中間周波数（ＩＦ）システムおよび／またはミキサは、ＲＦ信号が周波数変換および／または中間周波回路またはシステムを有しない記録装置に接続されるように、随意的であってもよいということを理解すべきである。このようなＲＦ信号の例は映像、テキストおよび／または音声情報を含む信号である。このようなＲＦ信号の別の例は、ＦＭ（周波数変調）、（ＰＭ）（位相変調）および／またはＡＭ（振幅変調）信号を含む信号である。ＲＦ信号の他の例としては、ＤＴＶ信号、アナログＲＦテレビ信号、ＨＤＴＶ  ＲＦ信号、変調信号、副チャネル映像、ＷｉＦｉ信号、ＷｉＭａｘ信号、インターネット信号、無線ネットワーク信号、ＬＡＮ（ローカルエリアネットワーク）信号、８０２．１１信号、イーサネット信号、移動体（アナログおよび／またはデジタル）ＴＶ信号、携帯機器の（アナログまたはデジタル）ＴＶ信号、副チャネル音声、映像チャネル、音声チャネルおよび／またはデータ信号／チャネルが挙げられる。上記ＲＦ信号の任意のものが、ＲＦ領域に記録する記録装置（周波数変換回路／システムおよび／または中間周波数方式の有無に関らず）に接続されてもよい。次に任意の記録信号が１つまたは複数の映像、音声、データ信号／チャネルを供給する復調器またはチューナに接続されてもよい。
【００１５】
一実施形態は、送信信号（例えば、テレビ／ラジオ信号等の有線）、ケーブルテレビ／ラジオ信号、衛星テレビ／ラジオ信号、インターネット、ＷｉＦｉ、Ｗｉｍａｘ、携帯電話ＲＦ信号等のＲＦ領域から１つまたは複数のチャネルを記録する能力を含んでもよい。さらに一実施形態はＲＦ領域から記録信号を再生すること、例えば、残留側波帯、位相／振幅変調、直交変調および／または周波数変調された信号を含む記録信号の再生と、（映像）を表示／視聴するおよび／または（音声）を聴くための信号を供給するために、記録された（ＲＦ）信号を（再生装置を介し）チューナ／復調器に接続すること、とを含む。１つまたは複数のチューナおよび／または復調器は、（復調された）映像、データ、メタデータおよび／または音声信号の内の１つまたは複数の選択（または同時選択）を行うために、記録されたＲＦ信号の再生装置に接続されてもよい。
【００１６】
さらに別の実施形態では、光信号が、光信号（例えば、変調波形）として光学フォーマットで記録する記録装置に接続されてもよい。記録装置の出力は、表示、送信および／または配布のための光学的および／または電気的出力を含んでもよい。
【００１７】
さらに別の実施形態では、記録中または記録前に、１つまたは複数のＡＴＳＣチャネル、ＲＦチャネル、またはラジオチャネルがメタデータ用として例えばチューナを介し感知されてもよい。番組スケジュールまたは案内または情報などのこのメタデータはユーザを支援するために格納または表示されてもよい。あるいは記録装置は、ＷｉＦｉ、ＷｉＭａｘ、デジタルネットワーク、ＩＰＴＶに接続されてもよいし、あるいは番組音声または映像選択の関連情報をダウンロードおよび／または表示する、あるいはコンテンツまたは番組材料を提供するウェブ（例えば、ワールドワイドウェブ）にリンクされてもよい。したがって一実施形態は放送システム用チューナおよび／または無線ネットワーク用チューナを含んでもよい。
【図面の簡単な説明】
【００１８】
【図１Ａ】図１Ａは、従来技術の映像記録装置を例示するブロック図である。
【図１Ｂ】図１Ｂは、従来技術の映像記録装置を例示するブロック図である。
【図２Ａ】図２Ａは、本発明の実施形態を示すブロック図である。
【図２Ｂ】図２Ｂは、本発明の実施形態を示すブロック図である。
【図２Ｃ】図２Ｃは、別の実施形態を示す。
【図３】図３Ａは、周波数変換または混合の例を示す波形である。図３Ｂは、周波数変換または混合の例を示す波形である。
【図４】図４は、本発明の別の実施形態を示すブロック図である。
【図５】図５は、周波数変換の別の例を示す。
【図６】図６は、コンテンツ制御信号および／またはコピー防止信号を含む実施形態を示すブロック図である。
【発明を実施するための形態】
【００１９】
図１Ａは、アンテナまたはＲＦ信号（源）がチューナ／復調器２に接続された従来の記録装置を示す。チューナ／復調器は、アナログシステム用ＰＡＬまたはＮＴＳＣ映像信号あるいはデジタルシステム用ＤＴＶまたはＡＴＳＣ信号等のアナログおよび／またはデジタル信号送信を受信する。
【００２０】
アナログシステムにおけるチューナ／復調器２はＡＭ検波器を含んでもよい。ＡＭ検波器の出力はアナログ信号であり、アナログ信号は記録装置３に接続され、記録装置３はアナログ映像信号をデジタル的に記録できるようにするアナログ／デジタル変換器を含んでもよい。
【００２１】
デジタル信号に関し、復調は８ＶＳＢ（残留側波帯変調：ｖｅｓｔｉｇｉａｌ  ｓｉｄｅｂａｎｄ  ｍｏｄｕｌａｔｉｏｎ）またはＱＡＭ（直交増幅器変調：ｑｕａｄｒａｔｕｒｅ  ａｍｐｌｉｆｉｅｒ  ｍｏｄｕｌａｔｉｏｎ）検出器により行われる。８ＶＳＢまたはＱＡＭ復調信号の検出器出力は、ＭＰＥＧ−１．２または４、Ｄｉｖｘ、ウインドウズ媒体、ＲｅａｌＮｅｔｗｏｒｋｓ、ＤＢ−２５、Ｈ．２６４、ＤＣＴ、またはウェーブレット符号化等のフォーマットからの圧縮解除を必要とするトランスポートストリーム形式である。
【００２２】
制御装置４は、チューナ／復調器２用チャネルを設定するおよび／または記録装置３の記録時刻または間隔を設定するために設けられる。
【００２３】
図１Ｂは、図１Ａのものとは別であるがそれと類似の記録システムを示し、復調された８ＶＳＢまたはＱＡＭ信号を介し複数のチャネルを記録するおよび／または視聴することを可能にする複数のチューナ／復調器２’〜２ｎを含む。ここでは、ＲＦ信号はアンテナまたは他の接続を介しチューナ／復調器２’〜２ｎに接続される。選択スイッチ６はチューナ／復調器２’〜２ｎに接続される。スイッチ６は一度に２つ以上のソースを切り替えることができ、これにより記録装置３’が復調された８ＶＳＢまたはＱＡＭ信号から１つまたは複数のトランスポートストリームを記録できるようにするということに留意されたい。制御装置４’は、チューナ／復調器上でチャネルを設定できるようにする、および／または記録装置３’内に接続されるそれぞれのチューナ／復調器からのチャネルの１つまたはその組み合わせの切り替えを可能する。
【００２４】
図２Ａは、アンテナからのＲＦ信号がミキサ１１の第１の入力に接続され、ミキサ１１の第２の入力が入力１６を介し局部発振器（ＬＯ１）に接続された実施形態を示すブロック図である。ミキサ１１の出力は中間周波数（ＩＦ）増幅器／フィルタ１２に接続され、中間周波数（ＩＦ）増幅器／フィルタ１２は周波数変換されたＲＦスペクトルを記録装置１３に供給する。例えば４９０ＭＨｚを超えるＵＨＦ周波数のＡＴＳＣチャネルは、ミキサ１１を介しより低い周波数（例えば１０ＭＨｚ未満）または中間周波数（ＩＦ）アナログ信号へミクスダウン（ｍｉｘｅｄ  ｄｏｗｎ）され、これにより記録装置１３におけるアナログ／デジタル変換をより簡単にすることができる。
【００２５】
ＶＳＢまたはＱＡＭ信号等のＲＦスペクトルを記録する記録装置１３により、記録されたＲＦスペクトルを再生することでＶＳＢまたはＱＡＭ信号を供給する。記録装置１３の出力は任意選択的なミキサ１４を介しチューナ１５に接続される。ミキサ１４の第２の入力は入力１７を介し局部発振器（ＬＯ２０）に接続される。ミキサ１４は例えば、記録装置１３（または増幅器／フィルタ１２）からのＩＦ信号をＲＦチャネル周波数へ変換する。要するに、チューナ１５は選択されたＲＦチャネル内の複数のチャネルを復調することができる。ＲＦスペクトル内の複数のチャネルは同時に記録されたものとする。一例として、いくつかのＡＴＳＣチャネルが、高品位（ＨＤ）チャネルと、標準画質映像および／または音声副チャネルを含んでもよい１つまたは複数の副チャネルと、を含み、一方デジタルテレビ（ＤＴＶ）チャネルはＨＤ、ＳＤ、音声チャネルの任意の組み合わせを含んでもよい。したがって（単一の）選択されたＲＦチャネルを実質的に記録することにより、複数の映像および／または音声番組が組み合わせられ、記録され、次に個々にまたは選択的に復調または復元されてもよい。
【００２６】
図２Ｂは、記録された各ＲＦチャネル内で復調される１つまたは複数のチャネルと共に、異なるＲＦチャネルから別のチャネルを提供するために、複数のＲＦチャネルを記録する別の実施形態を示すブロック図である。アンテナまたはＲＦ信号（源）は本明細書ではミキサ１１’および／または１１’’で示された１つまたはいくつかのミキサに接続される。局部発振器（ＬＯ１）はミキサ’１１に対する入力１６’を与える。局部発振器ＬＯ１はミキサ１１’が周波数スペクトルＩＦ１を出力するように周波数（ＦＬＯ１）に設定される。同様に、局部発振器（ＬＯ２）はミキサ１１’’に対する入力１６’’を供給する。局部発振器ＬＯ２はミキサ１１’’が周波数スペクトルＩＦｎを出力するように周波数（ＦＬＯ２）に設定される。ミキサ１１’と１１’’の出力は中間周波（ＩＦ）増幅器またはフィルタ１２’〜１２’ｎにそれぞれ供給される。
【００２７】
（周波数スペクトルＩＦ１とＩＦｎの）増幅器またはフィルタ１２’と１２’ｎの出力は２つ以上のＲＦチャネルの信号ＲＦスペクトルを含む。合成回路１９は増幅器／フィルタ１２’と１２’ｎからの２つのＲＦ信号ＩＦ１とＩＦｎを加算し、その出力を記録装置１３に接続する。記録装置１３は２つ以上のＲＦチャネルを含むアナログ信号を記録する。再生の際、記録装置１３はミキサ１４’を介しチューナ１５’に接続され、チューナ１５’は周波数スペクトルＩＦ１および／またはＩＦｎに関係するＲＦチャネルを選択する。チューナ１５’は、信号ＩＦ１および／またはＩＦｎに関係する各チャネルに同調するために複数のチューナ（および／または復調器）を含んでもよいということに留意されたい。ミキサ１４’はミキサ１４’に対する入力１７’において局部発振器（ＬＯ２５）に接続される。ミキサ１４’は、記録および再生されたＩＦ１および／またはＩＦｎ周波数スペクトルを通常はＶＨＦまたはＵＨＦスペクトル内のチャネル割り当てへ変換するために使用されてもよい。チューナ１５’の出力は、記録されたＲＦチャネル毎に復調される複数の（番組）チャネルを提供する出力１８’を有する。
【００２８】
最も単純な形式ではミキサ１４’は局部発振器（ＬＯ２５）を介しスペクトラムＩＦ１とＩＦｎの両方を変換してもよいが、２つのミキサと２つの局部発振器周波数を使用することにより各スペクトラムＩＦ１および／またはＩＦｎを指定または所定のチャネル周波数に変換することが可能である。図２Ｂは２つのＲＦチャネルの例を示すが、チャネルの数ＮはＮ個のＲＦチャネルを記録するためにそれに応じてスケーリングされてもよいことが分かる。通常、中間周波数ＩＦｘ＝ｐ（ＲＦソースの周波数）＋／−ｑ（局部発振器ＬＯの周波数）であることに留意すべきである。ここでｘ、ｐ、ｑは整数である。
【００２９】
図２Ｃに、ＲＦ信号記録および／または復調ＲＦ信号記録を含む実施形態を示す。アンテナ（ＡＮＴ）またはＲＦ信号源は１つまたは複数のチューナ／復調器２１の１つまたは複数の入力に接続される。１つまたは複数のチューナ／復調器の１つまたは複数の出力２８は記録装置２４に接続される。アンテナまたはＲＦ信号源はまた、機能および／または回路により実現される随意的な周波数変換モジュール２２の入力に接続される。周波数変換モジュール２２の出力は入力２９を介し記録装置２４に接続される。なお、周波数変換モジュール２２はバイパスされてもよく、これによりアンテナまたはＲＦ信号は記録装置２４に接続される。制御装置２３は、１つまたは複数の復調されたチャネルが記録されるよう、および／または１つまたは複数のＲＦ信号、スペクトラム、または帯域が記録されるよう、それらを構成する。記録装置２４の出力２６は１つまたは複数の復調されたテレビチャネルの再生信号を含む。記録装置２４は、チューナ２５の入力に接続されたＲＦ信号２７を再生してもよい。チューナ２５の出力は１つまたは複数のチャネルおよび／または１つまたは複数の副チャネルの再生の選択肢を（制御装置２３を介し）提供する。副チャネルは、第２の音声番組（ＳＡＰ：ｓｅｃｏｎｄａｒｙ  ａｕｄｉｏ  ｐｒｏｇｒａｍ）および／または補助の音声／映像チャネルを選択する、あるいはメタデータまたは番組案内にアクセスする柔軟性を含んでもよい。例えば、出力２６は「主」チャネルを視聴することを提供し、（同時に）出力３０は記録されたＲＦチャネルおよび／または副チャネル上で「サーフィン」することを提供する。
【００３０】
図３Ａに、ＲＦスペクトル変換の実施形態を示す。前述のように１つまたは複数のＲＦチャネルは下方変換（ｔｒａｎｓｌａｔｅｄ  ｄｏｗｎ）され、記憶媒体内のＡＤＣを介し記録される。（図２Ａと図２Ｂを参照）。この例では、周波数ｆＣＨ１（波形３１）はＶＨＦ、ＵＨＦまたはより高い周波数スペクトル内の典型的ＲＦチャネルを表す。ＡＴＳＣに関しては、このＲＦチャネルは約６ＭＨｚ幅であり、主番組チャネルに加えて、１つまたは複数の副番組チャネル（例えば、天気チャネル、交通チャネル、別のＳＤＴＶ番組、ラジオ等の音声番組）、さらに加えてメタデータおよび／または番組案内を含む。周波数ＦＬＯ１の局部発振器ＬＯ３４は、より低い周波数ＦＩＦ１（波形３２）へミクスダウンするためにｆＣＨ１の周波数より低く（または、より高く）設定される。例えば非線形素子、機能またはミキサにより供給される差周波数は２つのより高い周波数ｆＣＨ１とＦＬＯ１をとり、周波数スペクトルＦＩＦ１のより低い周波数（絶対値｜ｆＣＨ１−ＦＬＯ１｜）を提供する。
【００３１】
いくつかの実施形態では、前述のように主番組チャネルに加えて天気チャネル、交通チャネル、時間コード、別のＳＤＴＶ番組、ラジオ等の音声番組の１つまたは複数の副番組チャネルを含む変換されたチャネルＦＩＦ１は、アナログＲＦ信号からデジタル信号に変換される。次にデジタル信号は例えばテープ、磁気ディスク、光ディスク、ＲＡＭ、ＲＯＭ、フラッシュメモリ、電気機械的記憶および／または固体記憶装置等の媒体内に格納されることができる。
【００３２】
図３Ｂは、２つ以上のＲＦチャネルが周波数変換により記録される別の実施形態を示す。例えばＲＦチャネルｆＣＨ１（スペクトル３１’）とｆＣＨ２（スペクトル３１’’）は、より低い周波数ＲＦチャネルにＦＩＦ１（スペクトル３２’）とＦＩＦ２（スペクトル３２’’）を供給するために発振器周波数ＦＬＯ１とＦＬＯ２それぞれ（図示せず）により周波数がミクスダウンされる。次に、これらの２つ（または３つ以上）のより低い周波数のＲＦ信号はＡＤＣを介しデジタル化され、そして記録のために（デジタル）記憶装置に接続される。再び、周波数スペクトルＦＩＦ１および／またはＦＩＦ２は依然として番組映像チャネル、時間コード、音声、副映像チャネル、ラジオチャネル、メタデータおよび／または番組案内（情報）を保持する。
【００３３】
図４は別の実施形態を示すブロック図である。アンテナまたはリンク（例えば、光学、電話、ケーブル、衛星、無線リンク等）からのＲＦ信号または信号は周波数変換器４１に接続される。周波数変換器４１は１つまたは複数の周波数変換されたＲＦチャネルを加算器／合成器４２へ出力する。加算器／合成器４２の出力は１つまたは複数のダウンコンバート（ｄｏｗｎ−ｃｏｎｖｅｒｔｅｄ）されたＲＦチャネルであり、記録装置４３に接続される。記録装置４３は通常、デジタル記憶媒体内に記録するために、ダウンコンバートされたＲＦチャネルをデジタル化するアナログ／デジタル変換器を含む。
【００３４】
記録装置４３の出力は、１つまたは複数のチャネル用の１つまたは複数の周波数変換されたＲＦアナログ信号を出力するデジタル／アナログ変換器（ＤＡＣ）を含む。記録装置４３の出力は、チューナ４５に直接接続されてもよいし、あるいは周波数変換器４４を介しチューナ４５に接続されてもよい。チューナがより低い周波数信号を受信することができる場合、変換器４４は必要ではない場合もある。チューナ４５が標準放送同調またはより高い周波数同調（例えば、ＩＦ周波数より高い）用に設定される場合、変換器４４は、ＩＦ信号をＶＨＦ、ＵＨＦまたはより高い、周波数のチャネルへアップコンバートまたは変換する際に使用される。
【００３５】
チューナ４５は、チューナ４５からメタデータおよび／または番組案内情報を抽出する電子番組案内（ＥＰＧ：Ｅｌｅｃｔｒｏｎｉｃ  Ｐｒｏｇｒａｍｍｉｎｇ  Ｇｕｉｄｅ）４７または番組案内装置または読み取り装置に接続されてもよい。加算装置または回路すなわち加算器４６は次に、加算器４６の出力において、チューナ４５からの番組映像および／またはＥＰＧ４７からの番組案内情報を供給する。
【００３６】
制御装置４８は、制御信号を、選択されたＲＦチャネルを変換する変換器４１と選択されたＩＦ周波数チャネルを加算または合成する加算器／合成器４２へ供給する。制御装置４８はまた、時刻、入力信号選択等を記録する記録装置４３に命令を送信してもよい。再生の際、制御装置４８は、視聴または配布のために、チューナ４５が１つまたは複数の記録されたＲＦチャネルまたはサブチャネルを選択できるようにする。
【００３７】
図２Ａ、図２Ｂ、図２Ｃ、図４の実施形態は例えば図１Ａまたは図１Ｂで先に説明し示した特徴または回路と組み合わせられてもよいということを理解すべきである。あるいは一般的には、任意の実施形態がより高いおよび／またはより低い周波数への周波数変換（例えば、アップコンバージョン（上方変換）および／またはダウンコンバージョン（下方変換）を含んでもよい。
【００３８】
図５は、通常はＶＨＦ帯より上（例えば、＞３０ＭＨｚ）にあるテレビチャネル５２および／またはラジオチャネル５１がＩＦ（Ｎ）周波数５４へ変換される実施形態を示す。次に、ＩＦ（Ｎ）周波数範囲内の１つまたは複数のチャネルは記録するためにデジタル化される。この例では、チャネル５２および／またはチャネル５１からの任意の数のテレビおよび／またはラジオチャネルが選択され、次に周波数変換を介しより低い周波数に「マッピング」されてもよい。
【００３９】
図６では、上に検討した記録装置１３または記録装置２４等のチューナまたは記録装置が例えば米国特許第６，６６５，８６９号明細書（‘８６９特許）に記載され本明細書に援用される電子番組案内および／または双方向番組案内（ブロック６２内のブロック４７で示す）を含んでもよい。チューナまたは記録装置は、例えば‘１２０特許に記載されるデジタルネットワークまたは別のチューナ／記録装置にリンクされてもよい。番組映像信号、番組案内および／またはコンテンツ制御／コピー防止信号を出力端子に供給するために、例えば上述のチューナ１５、チューナ１５’、チューナ／復調器４５、電子番組案内４７および／または加算器４６のうちの１つまたは複数が、図６のチューナ／電子番組案内／合成器６２および／またはコンテンツ制御ブロック６１と共に実装されてもよい。図６に図示するように、システム６０の例示的実施形態が示される。アンテナまたはＲＦ信号は、例えば前図ではブロック１３または２４として示された記録装置に接続される。この例では、記録装置１３または２４は、機能または回路で実現される前図の変換モジュール４１および／または４４を随意的に含んでもよい。変換モジュール４１および／または４４はアンテナまたはＲＦ信号からのＲＦスペクトルの一部を随意的に周波数変換する。このとき記録装置１３または２４の出力は記録されたＲＦ信号であり、ブロック６２に接続される。ブロック６２は前図のチューナ１５、１５’または４５等のチューナを含む。チューナ１５、１５’または４５は記録装置１３または２４の出力から信号を受信してもよいし、あるいは（破線で示すように）アンテナまたはＲＦ信号から信号を受信してもよい。チューナ（１５、１５’または４５）の出力は合成回路１９（図２Ｂ）または加算器４６のような合成器／加算器回路の入力に接続される。合成器／加算器（１９または４６）は電子番組案内（ＥＰＧ）４７または対話型番組案内（ＩＰＧ：Ｉｎｔｅｒａｃｔｉｖｅ  Ｐｒｏｇｒａｍ  Ｇｕｉｄｅ）および／またはコンテンツ制御／コピー防止信号源６１に接続されてもよい。したがって例えば、合成器／加算器（１９または４６）の出力端子は、利用可能なまたはスケジュールされた１つまたは複数の番組の一組を視聴するための番組案内信号および／または１つまたは複数の映像番組のコンテンツ制御またはコピー防止を供給するためのコンテンツ制御またはコピー防止信号を含んでもよい。例えばブロック４７からの番組案内は、映画またはテレビ番組の時間および／または日付のリストを含むセルのパターンを提供することができる。コンテンツ制御またはコピー防止という点から、記録装置（１３または２４）またはチューナ（１５、１５’または４５）の出力からの１つまたは複数のビットは、ブロック６１のコンテンツ制御および／またはコピー防止信号を有効／無効にするまたはプログラムするために利用されてもよい。
【００４０】
米国特許第５，４７９，２６８号明細書（‘２６８特許）と米国特許出願公開第２００３／０１４９９８０号明細書（‘９８０公告）はＥＰＧ（電子番組案内）とＩＰＧ（双方向番組案内）などの番組案内に関し、その両者をそのまま参照のため本明細書に援用する。ＩＰＧまたはＥＰＧの信号を介し提供または引き出されてもよい例示的番組案内は、例えばユーザが１つまたは複数の（お気に入り）映像チャネルを選択できるようにする方法または装置である。上記案内は、ユーザにより視聴することができる当該数の映像チャネルを表す多くのセルを例えばスクリーンを介し表示装置に提供することを含む。各セルは特定チャネルのチャネル番号および／または番組サービス名を含む。ユーザは多くのチャネルの中の１つのチャネルを選択するために表示装置を使用し、例えば、選択されたチャネルの状態をユーザ選択に応じてお気に入りのチャネルのものに変更する、あるいはお気に入りのチャネルに対応するセル内に、選択されたチャネルがお気に入りのチャネルであるということの可視指示を表示する、そして番組案内情報を視聴するためにユーザの指示に応じて前記お気に入りの状態を有するチャネルのサブセットの番組案内情報を提供する。
【００４１】
番組案内（図６のブロック６２の）の別の例としては、電子的またはコンピュータ可読メモリ内に、それぞれがタイトル、テレビ放送時間および／またはチャネルを含む多くのテレビまたは映像番組リストを格納するステップ、番組リストのタイトルのいくつかを時間とチャネルのグリッドフォーマットでモニター画面上に表示するステップ、グリッド案内フォーマットで表示された１つまたは複数のタイトルをマーキングするために画面上でカーソルを移動するステップ、単独または複数フォーマット（その代りに（元の）グリッド案内フォーマットであってもよい）でマーキングされたタイトルに開くステップであって、単独チャネルフォーマットはマーキングされたタイトルに対応するチャネルの連続するテレビまたは映像番組リストの行（または列）を含む、ステップ、さらに単独チャネルフォーマットで異なる表示がされたタイトルをマーキングするために画面上でカーソルを移動するステップ、の内の１つまたは複数のステップを含むテレビまたは映像リストについてナビゲートする方法または装置が挙げられる。ここで、格納ステップは番組リストを格納する、および／または表示ステップはマーキングされたタイトルに対応する番組メモを番組リストと共に同時に表示する。
【００４２】
このようなグリッドパターンまたはセルは直線または曲線部分を含んでもよい。あるいは、二次元のグリッドパターンが三次元グリッドパターンに変形されてもよいしあるいはその逆であってもよい。このようなグリッドパターンは三次元および／または二次元特性を含んでもよい。例えば、番組案内のセルからセルへは曲面および／または立体物側面で表されてもよい。セルは規則的および／または不規則的形状あってもよい。
【００４３】
図６のブロック６１との関連で示すように、前述の実施形態のいずれかの出力は、コンテンツ制御信号（データ、ＣＧＭＳ、フラッグ信号）、および／またはコピー防止信号、修正カラーバーストエンベロープ、自動利得制御（ＡＧＣ）パルス、擬同期パルス、狭い水平同期、水平帰線期間またはその近傍に設けられる色副搬送周波数という意味で正しくない位相または周波数、映像信号のレベルシフト部分および／または振幅、位置および／または期間が修正された同期またはＡＧＣパルスの少なくとも一部を含んでもよい。
【００４４】
コピー防止、コンテンツ制御またはフラッグ信号に関する以下の特許を参照のため本明細書に援用する。米国特許第４，６３１，６０３号明細書（擬同期および／またはＡＧＣパルスを含む信号）、米国特許第４，８１９，０９８号明細書（ＡＧＣバックポーチパルスおよび／または水平同期振幅の修正／変調を含む信号）、米国特許第４，５７７，２１６号明細書（位相変調されたカラーバーストを含む信号）、米国特許第５，１３０，８１０号明細書（正および／または負のバックポーチパルスを含む信号）、米国特許第５，３１５，４４８号明細書（コンテンツ制御信号の追加／挿入のための制御ビットパターン）、米国特許第４，９３７，６７９号明細書（コンテンツ制御のための負および／または正方向パルスの検出）、米国特許第４，９０７，０９３号明細書（記録の無効化または修正のための負および／または正方向パルスの検出）、米国特許第５，５８３，９３６号明細書（低下されたバックポーチ信号）、米国特許第６，３８１，７４７号明細書（制御ビットを介しデジタル配給システムから受信器にコンテンツ制御を供給し、受信器はその出力にコンテンツ制御信号を供給する）、米国特許第６，８３６，１３２号明細書（コンテンツ制御のためのカラーストライプまたは分割バーストカラーストライプ信号）、米国特許第６，８３６，５４９号明細書（コンテンツ制御システムのために利用される負および／または正パルスの位置および／またはパルス幅変調）、米国特許第７，０３９，２９４号明細書（コンテンツ制御のためのカラーバースト修正）、米国特許第７，０５０，６９８号明細書（カラーバースト修正により低下されたフロントおよび／またはバックポーチ）、米国特許第７，０８５，３８０号明細書（コンテンツ制御信号の一部として映像信号に負方向パルスを加える／挿入する）、米国特許第６，５０１，８４２号明細書（映像信号用のコンテンツ制御信号の一部としてバックポーチ領域内に負方向パルスを追加する）、米国特許第７，４９２，８９６号明細書（映像信号内の低下されたバックポーチ）、米国特許第６，６００，８７３号明細書（コンテンツ制御のための、カラーストライプまたは分割バーストカラーストライプ信号等の位相変調されたカラーバーストの検出）。
【００４５】
したがって前述の任意の実施形態の出力は、迂回装置に対する抵抗力を与える弱められたカラーストライプ信号および／または業界では「ブラックボックス」として知られたコピー防止信号を含んでもよい。弱められたカラーストライプ信号は通常、テレビ受像機上でコピー防止映像信号の優れたプレイ性（ｐｌａｙａｂｉｌｉｔｙ）を提供する一方でコンテンツ制御のために利用される。
【００４６】
例えば、ポスト等化パルスを含む最後のテレビ水平線の直後のまたは一水平線遅れたテレビ水平線内の１つまたは複数の擬同期パルス（一組または一系列のテレビ水平線の）を供給することで、迂回装置がその出力に、有効なおよび／または強化されたコピー防止またはコンテンツ制御信号を通すようにさせる。
【００４７】
Ｒｏｎａｌｄ  ＱｕａｎまたはＲｏｎａｌｄ  ＱｕａｎとＪｏｈｎ  Ｃｌｏｕｔｍａｎへの２００９年出願の以下の特許出願明細書は、弱められたカラーストライプ信号および／またはいくつかの迂回装置に対する抵抗力を与える信号に関係し、これらを参照のため本明細書に援用する。米国特許出願公開第２０１０／００５４４６９号明細書、米国特許出願公開第２０１０／０１７１８８０号明細書、米国特許出願第１２／５６３，０５０号明細書、米国特許出願公開第２０１０／００５４７００号明細書。
【００４８】
したがって別の実施形態はコンテンツ制御またはタイプＲＰ信号を含む。ここで、Ｒは抵抗力を指し、Ｐはプレイ性を指す。それゆえＲＰは迂回装置に対する抵抗力に等しいか、あるいは改善されたプレイ性、あるいはより良好なプレイ性のために幾何学歪を改善する集積回路からの弱められたカラーストライプ保護信号、迂回装置の機能を低下または無効化するコンテンツまたはタイプＲＰまたは弱められたカラーストライプ保護信号、および／または迂回装置をトリガするあるいは迂回装置にコピー防止効果を強化させる集積回路からのコンテンツまたはタイプＲＰまたは弱められたカラーストライプ保護信号を供給する。このようなコンテンツまたはタイプＲＰまたは弱められたカラーストライプ保護信号は、デジタル信号からベースバンド映像信号を供給するためのデジタル記録材料またはデジタル映像のソースに接続されたデジタル／アナログ変換器と、コピー防止ビット、ビットパターンまたはコンテンツ制御ビットを検知または読み取る信号検知または読み取り装置回路と、コピー防止ビット、ビットパターンまたはコンテンツ制御ビットに応じてデジタル／アナログ変換器の出力にコンテンツまたはタイプＥＰまたは弱められたカラーストライプ保護信号を生成する信号発生器と、を含む集積回路内で利用されてもよい。
【００４９】
本発明の別の実施形態は以下の任意のものを含む。コピー防止信号が集積回路の出力を介し迂回装置の入力に供給され、迂回装置の出力が保護またはコンテンツ制御効果に十分な保護信号の少なくとも一部を通し、および／または迂回装置の出力がアクティブなテレビフィールドの一部をさらに歪めるまたは消去する信号を供給する方法。集積回路からの被保護映像信号（ｐｒｏｔｅｃｔｅｄ  ｖｉｄｅｏ  ｓｉｇｎａｌ）が迂回装置の入力に接続され、迂回装置の出力は、映像記録装置またはコンテンツ制御システムのコピー防止またはコンテンツ制御という意味で実質的に有効な信号を供給する、方法。例えば迂回またはブラックボックス装置に対する抵抗力を与えるために、垂直同期信号またはポスト等化パルスの直後または２または２．５個未満の水平線の後（例えば、奇数フィールド、偶数フィールドまたは両方のフィールド内）の少なくとも１つのテレビ水平線内に、１つまたは複数の擬似同期パルス、または１つまたは複数の擬似同期パルス、またはＡＧＣパルスペア信号を挿入または追加する回路。
【００５０】
別の実施形態は、映像水平線毎に異なる数の擬似同期パルスおよび／または映像水平線毎に異なる擬似同期パルス幅を供給し、例えば改善された信号プレイ性のために、ほぼ同じ数の擬似同期パルスおよび／またはほぼ同じ擬似同期パルス幅を有する少なくとも２つの水平線を連続的に生成する方法を含む。
【００５１】
別の実施形態では、コンテンツまたはタイプＲＰ信号または弱められたカラーストライプ被保護映像信号は受信装置の出力を介しテレビ受像機に供給される。ここでは、改善されたプレイ性は、例えば垂直同期信号により近い擬似同期水平線位置をずらすことにより、あるいはアクティブなフィールドの始め近くの擬似同期パルスを低下させることにより、あるいは擬似同期パルスの数が水平線毎に交互に切り替わる場合は同数またはほぼ同数の擬似同期パルスを有する２つ以上の連続するテレビ水平線を供給することにより、例えばテレビ受信機の最上部上の低減された「フッキング」を介し実現される。
【００５２】
別の実施形態は、集積回路の出力にコンテンツまたはタイプＲＰ保護信号を供給するために垂直同期信号またはポスト等化パルスの直後または２または２．５個未満の水平線後に擬似同期パルスを開始または供給する方法を含み、さらに、正しくないカラーバーストの１つまたは複数のサイクルを含む１つまたは複数のカラーバーストエンベロープの全体または分割された部分のカラーバーストの修正、弱められたカラーストライプ信号、映像信号の１つまたは複数の部分の低下または上昇を含む映像信号の一部分のレベルシフト、選択された映像水平線の同期位置、振幅および／またはパルス幅の修正、映像水平線毎に異なる映像レベルのバックポーチパルスを供給すること、擬似同期および／または映像水平線毎に異なるパルス幅のＡＧＣパルスを供給すること、擬似同期および／または映像水平線毎に異なるパルス数のＡＧＣパルスを供給すること、の内１つまたは複数を含んでもよい。
【００５３】
保護信号は集積回路受信器の出力を介し迂回装置の入力に供給され、迂回装置の出力は、コピー防止またはコンテンツ制御効果に十分な保護信号の少なくとも一部を通し、迂回装置の出力がアクティブなテレビフィールドの一部をさらに歪めるまたは消去する信号を供給する。
【００５４】
コピー防止は、垂直同期信号直後の、あるいは垂直同期信号またはポスト等化パルス後の２または２．５個未満の映像水平線後の擬似同期パルスおよび／または擬似同期パルスと自動利得制御（ＡＧＣ）パルスと、カラーバースト修正、例えばカラーストライプ、部分的カラーストライプ、弱められたカラーストライプと、を組み合わせることにより提供される。合成信号は集積回路の出力に生成され、カラーバースト修正は選択された映像水平線内の正しくない位相または周波数のサイクルを含み、集積回路のベースバンド、コンポジットおよび／または成分出力は迂回装置の入力に接続される。迂回装置を介しコンテンツまたはタイプＲＰまたは弱められたカラーストライプ保護信号を出力することは、コピー防止信号の修正されたカラーバーストの色歪みと、アクティブ映像フィールド内のカラーバーストエンベロープの消去または修正による余分な色歪みとを無意識に生成する。したがってコピー防止はその意図した目的に反して迂回装置により引き起こされる。
【００５５】
タイプＲＰ信号は、垂直同期信号用のポスト等化パルスを有する最後のテレビ水平線の２つの水平線内の１つまたは複数の水平線（例えば、２つ未満の水平線）内に負方向パルスまたは擬同期パルス（例えば、水平線当たり１または複数の（負）パルス）を含む。標準的な擬同期処理では、擬同期パルスはポスト等化パルス後の２つ以上の水平線に発生する。したがって、通常は消去されるあるいは通常は最後のポスト等化パルス後に負方向パルスを有しない２つの水平線が存在する。いくつかの迂回装置は、垂直帰線消去期間内に擬同期パルスの開始を特定するためにポスト等化パルスの後の１つまたは２つの水平線の間負パルスの欠如を検出する。開始点がこれらの迂回装置により特定されると、標準的な擬同期処理は迂回装置の信号修正回路により削除される。例えば５２５水平線システムでは、最後のポスト等化パルス線は水平線９と水平線２７１にある。６２５水平線システムでは、最後のポスト等化水平線は水平線５と水平線３１７にある。標準６２５擬同期パルス信号は水平線８と３２０において擬同期パルスを開始してもよい。擬同期パルスはいくつかの迂回装置（ブラックボックス）により削除される。６２５水平線フォーマットの（最初の１９タイプのＲＰ信号の）水平線６、７、３１８および／または３１９内に１つまたは複数の擬同期パルスを供給する／含むことにより、これらのいくつかの迂回装置が擬同期パルスおよび／または関連ＡＧＣパルスを十分に除去しなかった、ということが実験的に発見された。同様に５２５水平線フォーマットでは、水平線１０、１１、２７２および／または２７３内に（第２のタイプのＲＰ信号の）１つまたは複数の擬同期パルスを供給する／含むことで、いくつかの迂回装置が擬同期パルスおよび／または関連ＡＧＣパルスを十分に除去できないようにした。少なくとも１つの５２５水平線フォーマット迂回装置では、ポスト等化パルスの最後の水平線（または終了または垂直同期信号）直後に擬同期パルスまたは負方向パルスを供給することでこの特定の５２５水平線フォーマット迂回装置を失敗させる。例えば迂回装置の失敗は通常、その出力コンテンツ制御／コピー防止パルス／信号を介し、アクティブフィールドの（少なくとも）一部またはカラーバースト信号を通すおよび／または除去／減衰することを含む。アクティブフィールドの一部は、垂直帰線消去期間外に１つまたは複数の水平線の１つまたは複数の部分を含んでもよい。
【００５６】
１つまたは複数の実施形態による例えばＰＶＲまたは装置への入力は、ブラックボックスに対する耐性が無い標準的保護信号を有する映像信号を含んでもよく、１つまたは複数の実施形態を含む装置からの出力映像信号は、迂回装置に対して耐性のある新しい保護信号および／または改善されたプレイ性を有する新しい保護信号を供給する。さらに、１つまたは複数の実施形態による装置への入力は、ブラックボックス（例えば、コンテンツ制御またはコピー防止を回避するための擬同期パルスおよび／または関連ＡＧＣパルスを十分に除去できないブラックボックスまたは迂回装置）に対し耐性のあるコンテンツまたはタイプＲＰ保護信号を有する映像信号、ブラックボックスに対し耐性がない保護信号を供給する出力映像信号を伴い、および／または改善されたプレイ性を有する新しい保護信号を含んでもよい。１つまたは複数のタイプＲＰ保護信号は、参照により援用される米国特許出願第１２／７１１，８３４号明細書「記録装置に対する制御を目的とした集積回路におけるメタデータ、ＥＰＧまたはＩＰＧ信号の受信方法と装置」に記載されている。
【００５７】
位相変調されたカラーバースト信号が前述の任意の実施形態に含まれてもよい。例えば、１つまたは複数のサイクルの非標準位相（例えば、基本カラーバースト位相から２０度〜１８０度）を有するカラーバーストが含まれてもよい。テレビフィールドまたはフレーム内に１つまたは複数の水平線の正常および／または異常位相の複数のサイクルを含む分割バースト信号は、広帯域記録を含む任意の装置の出力に含まれてもよい例示的信号である。
【００５８】
弱められたカラーストライプまたは位相変調された信号は２サイクルの正常色副搬送波位相、６．５サイクルの異常色副搬送波位相（例えば１８０度）および／または７サイクルの正常色副搬送波位相を（１５％の範囲内で）含んでもよい。あるいは、別の弱められたカラーストライプまたは位相変調された信号は６．５サイクルの異常色副搬送波位相（例えば１８０度）および／または８．５サイクルの正常色副搬送波位相を（１５％の範囲内で）含んでもよい。弱められたカラーストライプ信号はＱ個の水平線毎にＲ個の水平線内に発生してもよい。ここで、ＲとＱは一組の整数からなる。例えば、弱められたカラーストライプ信号はＱ個の水平線毎に１、２、３、４、または５本の水平線内に供給されてもよい。ここで、Ｑは、１、２、３、４または５より大きい（そしてＱはＲより大きい）。テレビ色標準は、ＰＡＬまたはＮＴＳＣ（または色副搬送波を有するプログレッシブまたはインターレース信号等の変形信号）、またはコンポジット、Ｓ映像またはＹ／Ｃテレビ信号のものあってもよい。
【００５９】
本開示は例示的なものであり限定するものではない。さらなる修正は、本開示に照らし当業者には明らかとなり、添付の特許請求項の範囲内であるように意図されている。
【図１Ａ】
2013507829.tif 000002
【図１Ｂ】
2013507829.tif 000003
【図２Ａ】
2013507829.tif 000004
【図２Ｂ】
2013507829.tif 000005
【図２Ｃ】
2013507829.tif 000006
【図３】
2013507829.tif 000007
【図４】
2013507829.tif 000008
【図５】
2013507829.tif 000009
【図６】
2013507829.tif 000010
【国際調査報告】
2013507829.tif 000011
2013507829.tif 000012